(57)【要約】【課題】支持部材に対する表示器本体の取り付け及び取り外しを容易に行うことができる表示装置を提供する。【解決手段】表示装置１０を、所定の情報を表示する表示器本体３０Ａ・３０Ｂと、表示器本体３０Ａ・３０Ｂを支持する支持部材２０を具備し、支持部材２０は、表示器本体３０Ａ・３０Ｂの一端部及び他端部を着脱可能に支持し、表示器本体３０Ａ・３０Ｂは、支持部材２０に支持される一端部に形成されて支持部材２０と係合する第１係合部３４と、支持部材２０に支持される他端部に形成されて支持部材２０と係合する第２係合部３５と、第２係合部３５と支持部材２０との係合を解除するロックレバー３８（係合解除手段）と、を有するとともに、第１係合部３４を支点として支持部材２０に対して回動可能であり、且つロックレバー３８を操作することにより支持部材２０との係合が解除されるように構成する。【選択図】図２
2014142519.tif 000002
【特許請求の範囲】
【請求項１】
所定の情報を表示する表示器本体と、前記表示器本体を支持する支持部材とを具備する表示装置であって、
前記支持部材は、
前記表示器本体の一端部及び他端部を着脱可能に支持し、
前記表示器本体は、
前記支持部材に支持される前記一端部に形成されて前記支持部材と係合する第１係合部と、
前記支持部材に支持される前記他端部に形成されて前記支持部材と係合する第２係合部と、
前記第２係合部と前記支持部材との係合を解除する係合解除手段と、
を有するとともに、
前記第１係合部を支点として前記支持部材に対して回動可能であり、且つ前記係合解除手段を操作することにより前記支持部材との係合が解除される
ことを特徴とする表示装置。
【請求項２】
前記係合解除手段は、前記表示器本体において前記第１係合部が形成される側と反対側の端部であって、前記所定の情報が表示される表示部が配置される側から前記第２係合部と前記支持部材との係合が解除可能な部分に設けられる
ことを特徴とする請求項１に記載の表示装置。
【請求項３】
前記係合解除手段は、前記第２係合部と一体に形成される
ことを特徴とする請求項１又は請求項２に記載の表示装置。
【請求項４】
前記支持部材は、前記表示器本体に関する配線を設置するための配線設置部を有し、
前記表示器本体は、前記支持部材に支持される前記他端部側に形成されて前記支持部材の配線設置部と係合する第３係合部を有する
ことを特徴とする請求項１から請求項３のいずれか１項に記載の表示装置。
【請求項５】
前記表示器本体に給電するための給電配線が前記配線設置部に設置され、
前記支持部材は、前記給電配線と電源とを接続する電源接続部を有する
ことを特徴とする請求項４に記載の表示装置。
【請求項６】
前記支持部材は、前記表示器本体を所定の角度で傾斜させて取り付け可能な傾斜部を有する
ことを特徴とする請求項１から請求項５のいずれか１項に記載の表示装置。
【請求項７】
前記支持部材は、前記支持部材を取り付けるための取付部材を収納する取付部材収納部を有する
ことを特徴とする請求項１から請求項６のいずれか１項に記載の表示装置。
【請求項８】
前記支持部材は、前記取付部材収納部を覆うカバー部材を有する
ことを特徴とする請求項７に記載の表示装置。
【発明の詳細な説明】
【技術分野】
【０００１】
本発明は、所定の情報、例えば、ピッキング設備等のラック内に関する情報（ラック内に収納されている物品の名称或いは個数等といった情報）等、を表示する表示装置に関する。
【背景技術】
【０００２】
従来から、ピッキング設備等のラック或いはピッキング作業用の台車等に取り付けられ、当該ラック内或いは台車内に関する所定の情報を表示する表示装置が知られている（例えば、特許文献１及び特許文献２参照）。
【０００３】
上記特許文献１に記載の表示装置は、ピッキング設備等のラックに取り付けられ、当該ラック内に関する所定の情報を表示する表示装置であって、前記ラックに固設可能な長尺のダクトベースと、その前面に表示部が取り付けられ、前記表示部への配線経路を配置する表示部用配線スペースを内包する長尺のダクトと、を備え、前記ダクトベースは、その長手方向に沿った一方側縁部に第１係合部を有し、前記ダクトは、その長手方向に沿って伸びる第２係合部を有し、前記ダクトは、前記ダクトベースの長手方向に沿った他方側縁部に回動自在に蝶着され、前記第１と第２の係合部が互いに係合することによって、前記ラックの所定部位への配線を収容するラック用配線スペースが前記ダクトの裏面と前記ダクトベースの前面との間に形成されるものである。
【０００４】
また、上記特許文献２に記載の表示装置は、横断面形状において一部分に開口を有する袋状形状に形成された長尺状支持部材に、前記開口を閉じる姿勢で表示体と遮蔽体とが取り付けられる表示装置であって、前記表示体と前記遮蔽体のそれぞれには、背方に向けて片持状に突出する姿勢で、前記長尺状支持部材に設けた係止部に弾性係合される被係止片が設けられ、前記表示体側の前記被係止片とそれに対する前記係止部との係合力が、前記遮蔽体側の前記被係止片とそれに対する前記係止部との係合力よりも大となるように構成されると共に、前記表示体の前記被係止片に、前記係止部に対する係合箇所よりも延出された離脱操作用の延長部が設けられているものである。
【先行技術文献】
【特許文献】
【０００５】
【特許文献１】特許４６７９７０９号公報
【特許文献２】特許２８５０９６８号公報
【発明の概要】
【発明が解決しようとする課題】
【０００６】
しかしながら、特許文献１に記載の表示装置は、表示器本体（表示部を有するダクト）と、当該表示器本体を支持する支持部材（ダクトベース）とが蝶着されているため、作業者が表示器本体を支持部材から容易に取り外せない（例えば、特許文献１の図４から図６）という問題があった。また、特許文献１に記載の表示装置は、表示部とダクトが別体の場合（例えば、特許文献１の図８）であっても、装置自体に表示器本体と支持部材との係合を解除する手段（係合解除手段）を有していないため、表示部を取り外そうとする場合には特別な工具が必要になるなど作業が煩雑になるという問題もあった。さらに、特許文献２に記載の表示装置は、装置自体に係合解除手段（離脱操作用の延長部）を有するが、当該手段が表示器本体の裏側に設けられているため、表示器本体の取り外しが煩雑であった。
【０００７】
そこで、本発明は、支持部材に対する表示器本体の取り付け及び取り外しを容易に行うことができる表示装置を提供することを目的とする。
【課題を解決するための手段】
【０００８】
本発明の解決しようとする課題は以上であり、次にこの課題を解決するための手段を説明する。
【０００９】
即ち、本発明のうち請求項１に記載の表示装置は、所定の情報を表示する表示器本体と、前記表示器本体を支持する支持部材とを具備する表示装置であって、前記支持部材が、前記表示器本体の一端部及び他端部を着脱可能に支持し、前記表示器本体が、前記支持部材に支持される前記一端部に形成されて前記支持部材と係合する第１係合部と、前記支持部材に支持される前記他端部に形成されて前記支持部材と係合する第２係合部と、前記第２係合部と前記支持部材との係合を解除する係合解除手段と、を有するとともに、前記第１係合部を支点として前記支持部材に対して回動可能であり、且つ前記係合解除手段を操作することにより前記支持部材との係合が解除されるものである。
上記構成によれば、第１係合部を支点として表示器本体を回動させることで、表示器本体が支持部材に取り付けられる。また、係合解除手段を操作することで、表示器本体が支持部材から取り外される。
【００１０】
また、請求項２に記載の発明は、請求項１に記載の発明において、前記係合解除手段が、前記表示器本体において前記第１係合部が形成される側と反対側の端部であって、前記所定の情報が表示される表示部が配置される側から前記第２係合部と前記支持部材との係合が解除可能な部分に設けられるものである。
上記構成によれば、第１係合部を支点として、表示部が配置される側から表示部本体と支持部材との係合が解除可能となる。
【００１１】
さらに、請求項３に記載の発明は、請求項１又は請求項２に記載の発明において、前記係合解除手段が、前記第２係合部と一体に形成されるものである。
上記構成によれば、係合解除手段と第２係合部とが１つの部材で構成できる。
【００１２】
また、請求項４に記載の発明は、請求項１から請求項３のいずれか１項に記載の発明において、前記支持部材が、前記表示器本体に関する配線を設置するための配線設置部を有し、前記表示器本体が、前記支持部材に支持される前記他端部側に形成されて前記支持部材の配線設置部と係合する第３係合部を有するものである。
上記構成によれば、支持部材の配線設置部には、表示器本体に関する配線が設置されるとともに、表示器本体の第３係合部が係合される。
【００１３】
また、請求項５に記載の発明は、請求項４に記載の発明において、前記表示器本体に給電するための給電配線が前記配線設置部に設置され、前記支持部材が、前記給電配線と電源とを接続する電源接続部を有するものである。
上記構成によれば、電源へ接続することにより表示器本体へ給電が可能となる。
【００１４】
また、請求項６に記載の発明は、請求項１から請求項５のいずれか１項に記載の発明において、前記支持部材が、前記表示器本体を所定の角度で傾斜させて取り付け可能な傾斜部を有するものである。
上記構成によれば、表示器本体の表示部を所定の角度で傾斜できる。
【００１５】
また、請求項７に記載の発明は、請求項１から請求項６のいずれか１項に記載の発明において、前記支持部材が、前記支持部材を取り付けるための取付部材を収納する取付部材収納部を有するものである。
上記構成によれば、支持部材を、ネジ等の取付部材によってピッキング設備のラック等に簡単に取り付けることができる。また、取付部材が支持部材に収納されるため、取付部材が表示部本体の取り付け側へ突出した状態とならず、表示器本体の取り付けの際に、取付部材が表示器本体の裏面と接触することがない。
【００１６】
また、請求項８に記載の発明は、請求項７に記載の発明において、前記支持部材が、前記取付部材収納部を覆うカバー部材を有するものである。
上記構成によれば、取付部材がカバー部材により覆われて外部から見えなくなるため、表示装置をピッキング設備のラック等に取り付けた際の表示装置の見栄えが良くなる。
【発明の効果】
【００１７】
本発明の表示装置は、作業者が特別な工具等を用いることなく、手で容易に表示器本体の取り付け及び取り外しができるとともに、表示器本体が支持部材に対して充分に支持される、という効果を有している。
【図面の簡単な説明】
【００１８】
【図１】本発明の実施例における表示装置を備えたピッキング棚の斜視図である。
【図２】本発明の実施例における表示装置の斜視図である。
【図３】（ａ）は、支持部材の側面断面図、（ｂ）は、別実施例の支持部材の側面断面図である。
【図４】（ａ）は、別実施例の支持部材の側面断面図、（ｂ）は、別実施例の支持部材に表示器本体を取り付けた際の側面断面図、（ｃ）は、別実施例の支持部材に表示器本体を取り付けた際の斜視図である。
【図５】（ａ）は、表示器本体の平面図、（ｂ）は、表示器本体の正面図、（ｃ）は、表示器本体の背面図、（ｄ）は、表示器本体の底面図、（ｅ）は、表示器本体の右側面図である。
【図６】（ａ）は、支持部材に表示器本体を取り付けた際の正面図、（ｂ）は、表示器本体を支持部材から取り外す際にロックレバーを操作する様子を示す側面断面図、（ｃ）は、表示器本体の下端部を前上方へ持ち上げる様子を示す側面断面図、（ｄ）は、表示器本体を支持部材から引き離す様子を示す側面断面図である。
【図７】（ａ）は、支持部材にパワーモジュールを取り付ける前の側面断面図、（ｂ）は、支持部材にパワーモジュールを取り付ける際の側面断面図である。
【発明を実施するための形態】
【００１９】
以下、本発明の実施例を図面に基づき説明する。
まず、本発明に係る表示装置１０を説明する前に、本発明に係る表示装置１０が取り付けられるピッキング棚１について簡単に説明する。なお、本発明は、ピッキング棚１に適用した場合に限定されるものではなく、例えば、仕分け設備における仕分け棚或いは台車、製造ラインにおける部品管理システム或いは組付作業支援システム等に適用しても構わない。
【００２０】
［ピッキング棚１］
図１に示すように、本発明に係る表示装置１０を備えたピッキング棚１は、流動棚から形成され、前方に傾斜している複数段（図１では５段）のラック２を有する。各ラック２にはそれぞれ、物品（図示せず）を収納した容器３を格納する複数の区画収納空間４が形成される。そして、区画収納空間４毎にローラコンベヤ５が設けられ、ローラコンベヤ５の前端にはストッパ６が設けられている。この構成により、ストッパ６により係止された容器３から必要な物品を取り出し、容器３が空になればその容器３を除去することにより、次の容器３が前面に出てくる。
【００２１】
［表示装置１０］
次に、本発明の要旨である表示装置１０について説明する。
図１に示すように、ラック２の前面の水平フレーム７には、本発明に係る表示装置１０が取り付けられている。
表示装置１０は、支持部材２０と、ラック２内に関する所定の情報を表示する複数の表示器本体３０Ａ・３０Ｂと、から構成されている。表示装置１０においては、支持部材２０が、表示器本体３０Ａ・３０Ｂの上端部（一端部）及び下端部（他端部）を着脱可能に支持する。この表示装置１０は、後述するように、表示器本体３０Ａ・３０Ｂの上端部（一端部）を支点として、表示器本体３０Ａ・３０Ｂを支持部材２０に対して回動させることにより、表示器本体３０Ａ・３０Ｂが、支持部材２０に取り付けられること、又は取り外されることが可能となっている。
【００２２】
図１に示すように、支持部材２０は、ピッキング棚１のラック２毎に、ラック２の前面の水平フレーム７に敷設される。また、表示器本体３０Ａ・３０Ｂは、１区画の区画収納空間４毎、又は２区画の区画収納空間４毎に、支持部材２０に取り付けられる。なお、表示器本体３０Ａ・３０Ｂが取り付けられる区画収納空間４の区画数は１区画毎又は２区画毎に限定されるものではなく、３区画以上毎でも構わない。
【００２３】
［支持部材２０の一形態］
次に、支持部材２０について説明する。なお、以下の説明においては、図１に示すように表示装置１０をラック２の前面の水平フレーム７に取り付けた際の支持部材２０の上下方向及び前後左右方向を、支持部材２０の上下方向及び前後左右方向として規定する。
【００２４】
図２及び図３（ａ）に示すように、支持部材２０は、断面視略Ｃ字形状の長尺状の部材である。支持部材２０は、その裏面がネジ７０（取付部材の一例）及び両面テープ７１によってラック２の前面の水平フレーム７に固定されるようになっている。なお、支持部材２０の水平フレーム７への固定は、ネジ７０のみ、或いは両面テープ７１のみで行っても構わず、また、ネジ７０及び両面テープ７１以外の取付部材によって行っても構わない。また、支持部材２０は、その前面に形成される挟持部２１において表示器本体３０Ａ・３０Ｂの上端部（一端部）及び下端部（他端部）を挟持することにより、表示器本体３０Ａ・３０Ｂを着脱可能に支持する。
【００２５】
図３（ａ）に示すように、挟持部２１は、支持部材２０の長手方向（左右方向）に延設される開口部分であり、その上端部に、表示器本体３０Ａ・３０Ｂの上端部（一端部）と係合する第１凹部２２が形成され、その下端部に、表示器本体３０Ａ・３０Ｂの下端部（他端部）と係合する第２凹部２３が形成されている。この第１凹部２２及び第２凹部２３が表示器本体３０Ａ・３０Ｂの上端部及び下端部と係合することにより、表示器本体３０Ａ・３０Ｂが支持部材２０により支持される。
【００２６】
第１凹部２２は、略半円形状に形成され、表示器本体３０Ａ・３０Ｂの上端部、詳しくは、後述する第１係合部３４を回動可能に係合させることができる。なお、第１凹部２２の形状は、略半円形状に限定されるものではなく、表示器本体３０Ａ・３０Ｂの上端部を回動可能に係合させることができる形状であれば良い。
【００２７】
第２凹部２３は、略鉤状（フック状）に屈曲して形成され、表示器本体３０Ａ・３０Ｂの下端部、詳しくは、後述する第２係合部３５が弾性揺動して第２凹部２３と係合できるようになっている。なお、第２凹部の形状は、略鉤状（フック状）の形状に限定されるものではなく、表示器本体３０Ａ・３０Ｂの第２係合部３５が引っ掛かって係合できる形状であれば良い。
【００２８】
また、図３（ａ）に示すように、支持部材２０は、その前側下部（挟持部２１の下部）に表示器本体３０Ａ・３０Ｂに給電するためのレール５０（表示器本体３０Ａ・３０Ｂに関する配線の一例、給電配線の一例）を設置するための配線設置部２４が、支持部材２０の長手方向（左右方向）に２列平行に設けられている。
【００２９】
配線設置部２４は、支持部材２０の長手方向にレール状に延設される断面視略Ｕ字形状の孔部であり、その内部に、支持部材２０の長手方向に延設されるレール５０が収納される。また、配線設置部２４が表示器本体３０Ａ・３０Ｂの裏面に設けられる後述の第３係合部３７と係合することにより、表示器本体３０Ａ・３０Ｂへの電気的接続が行われるようになっている。すなわち、支持部材２０は、配線設置部２４において表示器本体３０Ａ・３０Ｂを支持することができる。このように、配線設置部２４は、表示器本体３０Ａ・３０Ｂに関する配線を設置する機能と、表示器本体３０Ａ・３０Ｂを支持する機能とを兼ね備える。このため、支持部材２０に、表示器本体３０Ａ・３０Ｂを支持する部分を別途設ける必要がなく、支持部材２０の構成を簡略化しつつも、表示器本体３０Ａ・３０Ｂを充分に支持することができる。
【００３０】
なお、配線設置部２４は、図３（ｂ）に示すように、表示器本体３０Ａ・３０Ｂに給電するための断面視円形状のケーブル５５（表示器本体３０Ａ・３０Ｂに関する配線の一例、給電配線の一例）を収納可能な形状とすることもできる。
【００３１】
さらに、図３（ａ）に示すように、支持部材２０は、その前側中央部（挟持部２１の中央部）にネジ７０を収納するための取付部材収納部２６が設けられている。すなわち、取付部材収納部２６は、レール５０或いはケーブル５５と干渉しない位置であって、配線設置部２４とは異なる位置に設けられる。
取付部材収納部２６は、支持部材２０の長手方向に延設される断面視略Ｃ字形状の凹部であり、支持部材２０の前方向に開口している。そして、取付部材収納部２６の開口内部には、ネジ７０を挿入するためのネジ孔２６ａが形成されており、ネジ７０がネジ孔２６ａに挿入されることで、その開口内部にネジ７０の頭部が収納されるように構成されている。さらに、取付部材収納部２６は、その開口部分の前面がカバー部材２７によって覆われる。
【００３２】
図３（ａ）に示すように、カバー部材２７は、支持部材２０の長手方向に延設される断面視略Ｃ字形状の部材であり、取付部材収納部２６の前方から取付部材収納部２６の開口部分を覆うように、取付部材収納部２６に嵌め込まれる。
【００３３】
［別実施例の支持部材２０Ａ］
さらに、別実施例として、支持部材２０は、以下のような構成をとることができる。
図４に示すように、別実施例における支持部材２０の支持部材２０Ａは、表示器本体３０Ａ・３０Ｂを、支持部材２０Ａに対して所定の角度で傾斜させて取り付け可能な傾斜部２５ａを有する。
【００３４】
図４（ａ）に示すように、支持部材２０Ａは、その主たる構成部分である本体部２５が断面視略直角三角形状に形成され、この断面視略直角三角形状の斜辺に当たる部分を傾斜部２５ａとしている。この傾斜部２５ａの傾斜角度（傾斜部２５ａを形成する面と支持部材２０Ａの裏面を形成する面とからなる角度）、すなわち、表示器本体３０Ａ・３０Ｂの傾斜角度は、本体部２５の形状に応じて取り決めるとよい。そして、支持部材２０Ａにおいては、この傾斜部２５ａ上に、表示器本体３０Ａ・３０Ｂを挟持するための挟持部２１が形成されている。これにより、図４（ｂ）及び（ｃ）に示すように、支持部材２０Ａは、表示器本体３０Ａ・３０Ｂを支持部材２０Ａに対して所定の角度（図４では傾斜角度は約３０°）で傾斜させて支持する。
【００３５】
なお、支持部材２０Ａの本体部２５においては、表示器本体３０Ａ・３０Ｂの取り付け箇所を断面視略直角三角形状の斜辺に当たる部分（傾斜部２５ａ）としているが、これに限定されるものではなく、断面視略直角三角形状の直角でない２つの内角のうちの一方（傾斜角の一方）と対向する辺（対辺）に該当する部分としても構わない。また、本体部２５は、断面視略直角三角形状の部材に限定されるものではなく、表示器本体３０Ａ・３０Ｂを支持部材２０Ａに対して所定の角度で傾斜させて支持可能な部材であれば、例えば、断面視台形状の部材であっても構わない。
【００３６】
［表示器本体３０Ａ・３０Ｂ］
次に、表示器本体３０Ａ・３０Ｂについて説明する。なお、以下の説明においては、図１に示すように表示装置１０をラック２の前面の水平フレーム７に取り付けた際の表示器本体３０Ａ・３０Ｂの上下方向及び前後左右方向を、表示器本体３０Ａ・３０Ｂの上下方向及び前後左右方向として規定する。
【００３７】
図１及び図２に示すように、表示器本体３０Ａは、その表面に、ピッキングする物品の数量（「所定の情報」の一例）を表示するデジタル表示器３１（「表示部」の一例、ここでは２桁の数字を表示する）と、ピッキングの有無を内蔵されたランプの明滅で表示しピッキング作業終了時に操作される照光式押釦スイッチ３２（「表示部」の一例）が設けられている。また、表示器本体３０Ｂは、その表面に、容器３内の物品の名称（「所定の情報」の一例）を表示するドット表示器３３（「表示部」の一例）が設けられている。さらに、表示器本体３０Ａ・３０Ｂは、その表面左側にファンクションキー３９が設けられている。なお、デジタル表示器３１、照光式押釦スイッチ３２及びドット表示器３３に表示される情報は、表示装置１０の外部に設けられる表示コントローラ（図示せず）から無線又は有線で送信される。
また、図２に示すように、表示器本体３０Ａ・３０Ｂは、その上端部（表示器本体３０Ａ・３０Ｂの一端部）及びその下端部（表示器本体３０Ａ・３０Ｂの他端部）が狭持されて支持部材２０により支持される。
ピッキング作業に際しては、上記表示コントローラからの指示による照光式押釦スイッチ３２のランプ表示により、区画収納空間４におけるピッキング作業有りが表示されるとともに、デジタル表示器３１にピッキングする物品の数量が表示される。作業者は、これらの表示に従ってピッキング作業を実行し、ピッキングした物品を、例えば、集品容器（図示せず）に投入する。そして、作業者は、物品の投入を終了すると、照光式押釦スイッチ３２を押して区画収納空間４におけるピッキング作業を終了する。
【００３８】
［表示器本体３０Ａの各部について］
次に、表示器本体３０Ａの各部について説明する。なお、表示器本体３０Ｂについては、その表面に設けられる表示部（ドット表示器３３）以外は表示器本体３０Ａと同一の構成のため、以下、説明を省略する。
【００３９】
［第１係合部３４］
図５（特に図５（ｅ））に示すように、表示器本体３０Ａは、その上端部に支持部材２０の第１凹部２２において回動可能に係合する第１係合部３４が形成されている。
第１係合部３４は、表示器本体３０Ａの長手方向（左右方向）に延びた突起部分であり、表示器本体３０Ａの上面から上方へ突出して設けられる。また、第１係合部３４は、その頂部を曲線状（半球状）に形成することで、支持部材２０に対して回動可能な形状となっている。このように、第１係合部３４を支持部材２０に対して回動可能な形状とすることで、図６（ｂ）に示すように、表示器本体３０Ａを支持部材２０に取り付け又取り外す際に、第１係合部３４を支点として表示器本体３０Ａを支持部材２０に対して容易に回動させることができる。
【００４０】
［第２係合部３５］
また、図５（ｅ）等に示すように、表示器本体３０Ａは、その左右両側の下端部に、支持部材２０の第２凹部２３と係合する第２係合部３５が形成されている。
第２係合部３５は、表示器本体３０Ａの長手方向（左右方向）に延設される突起部分であり、表示器本体３０Ａの下端部に形成される凹部３６から下方へ突出して設けられる。また、第２係合部３５は、斜め方向に弾性揺動可能に設けられ、その先端部（下端部）が斜め方向に弾性変形することにより、支持部材２０の第２凹部２３に嵌め込まれる。さらに、第２係合部３５は、後述するロックレバー３８（係合解除手段の一例）と一体に形成される。
【００４１】
［第３係合部３７］
さらに、図５に示すように、表示器本体３０Ａは、その裏面下部に複数（図５（ｃ）では４か所）の第３係合部３７が設けられている。
第３係合部３７は、表示器本体３０Ａの裏面から後方へ突出する略平板状の突出部分である。第３係合部３７は、表示器本体３０Ａの裏面に、左右方向に略等間隔で配置される。また、第３係合部３７は、支持部材２０の配線設置部２４に沿うように、上下方向において配線設置部２４と対応する位置に設けられる。ここでは、左右両端側に設けられる第３係合部３７は、中央側に設けられる２か所の第３係合部３７より上部に設けられる。詳しくは、左右両端側に設けられる第３係合部３７は、上下に平行に設けられる支持部材２０の配線設置部２４のうちの上段の配線設置部２４に係合可能に設けられる。そして、中央側に設けられる２か所の第３係合部３７は、下段の配線設置部２４に係合可能に設けられる。そして、第３係合部３７が支持部材２０の配線設置部２４と係合することにより、表示器本体３０Ａは支持部材２０に支持されるとともに、レール５０から給電される。
【００４２】
［ロックレバー３８］
さらにまた、図５に示すように、表示器本体３０Ａは、その前側（デジタル表示器３１等の表示部が配置される側）であって表示器本体３０Ａの凹部３６に、表示器本体３０Ａの第２係合部３５と、支持部材２０の第２凹部２３との係合を解除するロックレバー３８（係合解除手段の一例）が設けられている。
ロックレバー３８は、第２係合部３５と一体に形成される略平板状のレバーであり、第２係合部３５から前方へ突出して設けられる。また、ロックレバー３８は、上下方向に弾性揺動可能に設けられ、図６に示すように、その先端部（前端部）を上方向に押し上げることで、第２係合部３５を前方向に引き上げる。これにより、ロックレバー３８を上方向に押し上げることで、表示器本体３０Ａの第２係合部３５と、支持部材２０の第２凹部２３との係合を解除することができる。
【００４３】
なお、ロックレバー３８は、第２係合部３５と一体に形成されるレバーに限定されるものではなく、ロックレバー３８を操作することにより、表示器本体３０Ａの第２係合部３５と、支持部材２０の第２凹部２３との係合が解除可能であればよく、例えば、ロックレバー３８と、第２係合部３５とを別途の接続部材で接続して、ロックレバー３８と、第２係合部３５とを別体に形成しても構わない。
【００４４】
［取外し操作及び取り付け操作］
次に、表示器本体３０Ａの取り外し操作及び取り付け操作について説明する。なお、表示器本体３０Ｂの取り外し操作及び取り付け操作については、表示器本体３０Ａと同様のため、説明を省略する。
【００４５】
図６（ａ）及び（ｂ）に示すように、表示器本体３０Ａを支持部材２０から取り外すには、まず、表示器本体３０Ａの前側の左右両端部に設けられる２か所のロックレバー３８・３８を上方向に押し上げる。これにより、表示器本体３０Ａの第２係合部３５は、前上方向に引き上げられるとともに、第２係合部３５自体の弾性力により前方向へ押し出されて、支持部材２０の第２凹部２３から外れる。すなわち、表示器本体３０Ａの第２係合部３５と、支持部材２０の第２凹部２３との係合が解除される。次に、図６（ｃ）に示すように、表示器本体３０Ａの下端部を前上方へ持ち上げる。これにより、表示器本体３０Ａは、第１係合部３４を支点として回動し、下端部が前上方に持ち上がる。そして、表示器本体３０Ａを所定の角度（例えば、２０°）まで回動させた状態で、図６（ｄ）に示すように、表示器本体３０Ａを前下側へ引き下ろすことで、表示器本体３０Ａの第１係合部３４が支持部材２０の第１凹部２２から離れ、表示器本体３０Ａが支持部材２０から取り外される。
【００４６】
一方、表示器本体３０Ａを支持部材２０に取り付けるには、まず、表示器本体３０Ａの第１係合部３４を支持部材２０の挟持部２１の上端部に押し当てる。これにより、表示器本体３０Ａの第１係合部３４と、支持部材２０の第１凹部２２とが係合する（図６（ｃ）と同様の状態）。次に、表示器本体３０Ａの第１係合部３４を支点として表示器本体３０Ａを回動させながら、表示器本体３０Ａを後方向（支持部材２０側）に押し込む。この時、表示器本体３０Ａの第２係合部３５は、支持部材２０の下端部前面に当接し、引っ掛かった状態となるが、表示器本体３０Ａの後方向への押込み力により、表示器本体３０Ａの第２係合部３５の先端部が前上方向に弾性変形し、そのまま支持部材２０の下端部前面を乗り越えることで、支持部材２０の第２凹部２３に嵌め込まれる。これにより、表示器本体３０Ａの第２係合部３５と、支持部材２０の第２凹部２３とが係合し、表示器本体３０Ａが支持部材２０に取り付けられた状態となる。
【００４７】
［パワーモジュール６０］
次に、表示装置１０に付属して取り付けられるパワーモジュール６０（電源接続部の一例）について説明する。なお、以下の説明においては、図４（ｃ）に示すようにパワーモジュール６０を支持部材２０Ａに取り付けた際のパワーモジュール６０の上下方向及び前後左右方向を、パワーモジュール６０の上下方向及び前後左右方向として規定する。
【００４８】
図４（ｃ）に示すように、支持部材２０Ａの端部（右側端部）には、レール５０と表示装置１０の外部に設けられる外部電源（図示せず）とを接続するパワーモジュール６０が取り付けられている。また、図７に示すように、パワーモジュール６０は、表示器本体３０Ａ・３０Ｂと同様に、パワーモジュール６０の上端部を支点として回動させることにより支持部材２０Ａに取り付けられ、その上端部及び下端部が支持部材２０Ａにより支持される。
【００４９】
図４（ｃ）及び図７に示すように、パワーモジュール６０は箱状に形成され、その内部に、後述する裏面係合部６３から延設される給電配線（図示せず）と上記外部電源から延設される給電配線５７とを接続する接続部（図示せず）が設けられている。
【００５０】
また、図７（ａ）に示すように、パワーモジュール６０は、その上端部に、支持部材２０Ａの第１凹部２２において回動可能に係合する上側係合部６１が、表示器本体３０Ａの第１係合部３４と同様の形状で形成されている。
さらに、パワーモジュール６０は、その下端部に、支持部材２０Ａの第２凹部２３と係合する下側係合部６２が、表示器本体３０Ａの第２係合部３５と同様の形状で形成されている。
【００５１】
さらにまた、図７（ａ）に示すように、パワーモジュール６０は、その裏面下部に、複数（図７では２か所）の裏面係合部６３が、表示器本体３０Ａの第３係合部３７と同様の形状で形成されている。そして、裏面係合部６３は、支持部材２０Ａの配線設置部２４に沿うように設けられる。また、左側に設けられる裏面係合部６３は、上下に平行に設けられる支持部材２０Ａの配線設置部２４のうちの上段の配線設置部２４に係合可能に設けられる。そして、右側に設けられる裏面係合部６３は、下段の配線設置部２４に係合可能に設けられる。さらに、裏面係合部６３は給電配線５７と電気的に接続しており、裏面係合部６３が支持部材２０Ａの配線設置部２４と係合することにより、パワーモジュール６０は支持部材２０Ａに支持されるとともに、上記外部電源から供給される電力を、給電配線５７及び裏面係合部６３を介してレール５０に送電する。
【００５２】
以上のように、上記実施例に係る表示装置１０によると、表示器本体３０Ａ・３０Ｂの第１係合部３４を支点として表示器本体３０Ａ・３０Ｂを回動させることで、表示器本体３０Ａ・３０Ｂを支持部材２０に取り付けることができる。また、ロックレバー３８を操作することで、表示器本体３０Ａ・３０Ｂをスムーズに支持部材２０から取り外すことができる。このため、表示装置１０においては、作業者が特別な工具等を用いることなく、手で容易に表示器本体３０Ａ・３０Ｂの取り付け及び取り外しができる。
【００５３】
また、上記実施例に係る表示装置１０によると、ロックレバー３８が、第１係合部３４が形成される表示器本体３０Ａ・３０Ｂの上側と反対側の端部であって、表示部（デジタル表示器３１、照光式押釦スイッチ３２、ドット表示器３３）が配置されている表示器本体３０Ａ・３０Ｂの前側から第２係合部３５と支持部材２０との係合を解除可能な端部（表示器本体３０Ａ・３０Ｂの下端部）に設けられていることから、第１係合部３４を支点として、表示器本体３０Ａ・３０Ｂの前側から、表示器本体３０Ａ・３０Ｂの第２係合部３５と、支持部材２０の第２凹部２３との係合を解除することができる。このため、作業者は、表示器本体３０Ａ・３０Ｂの表示内容を確認しながら、手で容易に表示器本体３０Ａ・３０Ｂを支持部材２０から取り外すことができる。また、ロックレバー３８が表示器本体３０Ａ・３０Ｂの前側に設けられているため、ロックレバー３８の操作が行い易い。
【００５４】
さらに、上記実施例に係る表示装置１０によると、表示器本体３０Ａ・３０Ｂの第２係合部３５と、ロックレバー３８とが一体に形成されていることから、第２係合部３５と、ロックレバー３８との構成を１つの部材で簡素化できるとともに、ロックレバー３８を操作することで、確実に第２係合部３５を動かすことができる。
【００５５】
さらにまた、上記実施例に係る表示装置１０によると、支持部材２０の配線設置部２４が、レール５０又はケーブル５５の収納部分と、表示器本体３０Ａ・３０Ｂの第３係合部３７との係合部分と、を兼ねているため、支持部材２０に別途当該係合部分を設ける必要がない（支持部材２０の構成を簡略化しつつも、表示部本体３０Ａ・３０Ｂを充分に支持することができる）。また、表示器本体３０Ａ・３０Ｂの下端部側に第３係合部３７を設けることで、表示器本体３０Ａ・３０Ｂの第１係合部３４を支点として表示器本体３０Ａ・３０Ｂを回動させた際に、第３係合部３７が障害とならず、表示器本体３０Ａ・３０Ｂの取り付け及び取り外しを容易に行うことができる。
【００５６】
さらにまた、傾斜部２５ａを有する支持部材２０Ａを用いた形態の表示装置１０によると、表示器本体３０Ａ・３０Ｂの表示部（デジタル表示器３１、照光式押釦スイッチ３２、ドット表示器３３）を所定の角度で傾斜した状態で取り付けることができることから、作業者が表示器本体３０Ａ・３０Ｂの表示を視認し易くなる。
【００５７】
さらにまた、上記実施例に係る表示装置１０によると、支持部材２０は、支持部材２０をラック２に固定するためのネジ７０を収納するための取付部材収納部２６を有することから、支持部材２０をネジ７０でラック２に簡単に取り付けることができる。また、ネジ７０が取付部材収納部２６に収納されることとなるため、ネジ７０の頭部が挟持部２１側（表示部本体３０Ａ・３０Ｂの取り付け側）へ突出した状態とならず、表示器本体３０Ａ・３０Ｂの取り付けの際に、ネジ７０の頭部が表示器本体３０Ａ・３０Ｂの裏面と接触することがない。
【００５８】
さらにまた、上記実施例に係る表示装置１０によると、支持部材２０は、取付部材収納部２６を覆うカバー部材２７を有することから、表示装置１０をラック２に取り付けた際に、ネジ７０がカバー部材２７により覆われて外部から見えなくなる。そのため、表示装置１０をラック２に取り付けた際の表示装置１０の見栄えが良くなる。また、ネジ７０の頭部がカバー部材２７により保護された状態となるため、表示器本体３０Ａ・３０Ｂの取り付けの際に、ネジ７０の頭部が表示器本体３０Ａ・３０Ｂの裏面と接触することがない。
【００５９】
なお、上記実施例に係る表示装置１０においては、支持部材２０の第１凹部２２を略半円形状（凹部）とし、第１凹部２２に係合する表示器本体３０Ａ・３０Ｂの第１係合部３４を突出形状（凸部）としているが、これに限定されるものではなく、第１凹部２２を突出形状（凸部）とし、第１係合部３４を略半円形状（凹部）としても構わない。
【００６０】
また、上記実施例に係る表示装置１０においては、支持部材２０の第２凹部２３を略鉤状（凹部）とし、第２凹部２３に係合する表示器本体３０Ａ・３０Ｂの第２係合部３５を突出形状（凸部）としているが、これに限定されるものではなく、第２凹部２３を突出形状（凸部）とし、第２係合部３５を略鉤状（凹部）としても構わない。
【００６１】
さらに、上記実施例に係る表示装置１０においては、表示器本体３０Ａ・３０Ｂの下端部にロックレバー３８（係合解除手段）を設け、表示器本体３０Ａ・３０Ｂの上端部に回動時の支点となる第１係合部３４を設ける構成としているが、これに限定されるものではなく、表示器本体３０Ａ・３０Ｂの上端部にロックレバー３８を設け、表示器本体３０Ａ・３０Ｂの下端部に第１係合部３４を設ける構成としても構わない。
【００６２】
さらにまた、上記実施例に係る表示装置１０においては、表示器本体３０Ａ・３０Ｂの下端部前側（表示器本体３０Ａ・３０Ｂの前面）にロックレバー３８（係合解除手段）を設ける構成としているが、これに限定されるものではなく、第１係合部３４が形成される側（表示器本体３０Ａ・３０Ｂの上端部側）と反対側の端部であって、デジタル表示器３１等の表示部が配置される側（表示器本体３０Ａ・３０Ｂの前側）から第２係合部３５と支持部材２０との係合が解除可能な部分であれば、ロックレバー３８を表示器本体３０Ａ・３０Ｂの下端面に設ける構成としても構わない。
【００６３】
さらにまた、上記実施例に係る表示装置１０においては、取付部材収納部２６が、支持部材２０の前側中央部（挟持部２１の中央部）に設けられているが、これに限定されるものではなく、レール５０或いはケーブル５５と干渉しない位置であって、配線設置部２４とは異なる位置であれば、例えば、支持部材２０の前側上端部（挟持部２１の上端部）に設けても構わない。
【００６４】
さらにまた、本発明の「表示部」は、上記実施例のようなデジタル表示器３１或いはドット表示器３３に限定されるものではなく、電光表示、電子ペーパー、紙或いはプレートによるアナログ表示等、所定の情報が表示可能なものであれば構わない。また、本発明の「表示部」は、文字表示を行う表示器に限定されるものではなく、照光式押釦スイッチ或いは発光ボタンのような照光（発光）表示を行う表示器でも構わない。さらに、本発明の「表示部」は、パネルに限定されるものではなく、作業者に対して所定の情報を表示し、認識させることが可能なものであれば、ボタン、スイッチ等であっても構わない。
【００６５】
さらにまた、本発明の「表示器本体３０Ａ・３０Ｂに関する配線」は、上記実施例のようなレール５０及びケーブル５５のような表示器本体３０Ａ・３０Ｂに給電するための配線に限定されるものではなく、表示器本体３０Ａ・３０Ｂに対して情報を入力又は出力するための配線であっても構わない。
【００６６】
さらにまた、上記実施例に係る表示装置１０においては、パワーモジュール６０を支持部材２０Ａに取り付けているが、図２に示す支持部材２０に取り付けても構わない。また、上記実施例に係る表示装置１０においては、パワーモジュール６０を支持部材２０Ａの端部に取り付けているが、支持部材２０Ａの中央部（中途部）に取り付けても構わない。この場合、電源を外部電源とせずに、パワーモジュール６０に近接して支持部材２０Ａ上に設ける構成としても構わない。さらに、パワーモジュール６０においても、表示器本体３０Ａ・３０Ｂと同様に、その下端部に係合解除手段であるロックレバーを備えた構成としても構わない。
【符号の説明】
【００６７】
１０        表示装置
２０        支持部材
２０Ａ      支持部材
２４        配線配置部
２６        取付部材収納部
２７        カバー部材
３０Ａ      表示器本体
３０Ｂ      表示器本体
３１        デジタル表示器（表示部）
３２        照光式押釦スイッチ（表示部）
３３        ドット表示器（表示部）
３４        第１係合部
３５        第２係合部
３７        第３係合部
３８        ロックレバー（係合解除手段）
５０        レール（表示器本体に関する配線、給電配線）
５５        ケーブル（表示器本体に関する配線、給電配線）
６０        パワーモジュール（電源接続部）
７０        ネジ（取付部材）
【図１】
2014142519.tif 000003
【図２】
2014142519.tif 000004
【図３】
2014142519.tif 000005
【図４】
2014142519.tif 000006
【図５】
2014142519.tif 000007
【図６】
2014142519.tif 000008
【図７】
2014142519.tif 000009